(57)【要約】【課題】シーリングと照明機器の間に設置するだけで簡単に照明機器を遠隔制御可能にする照明機器コネクタを提供すること。【解決手段】シーリング接続部１０５と照明機器接続部１０６を備え、照明機器側無線送受信部１０７でリモコン１０９から受信した無線電波によって動作するスイッチ部１０８を電源線１１３上に設ける構成とし、シーリング１０３と照明機器１０４の間に設置することで電気工事を必要とせずに簡単に設置ができる照明機器コネクタ１０１を提供し、照明機器１０４を遠隔制御できるようにする。【選択図】図１
2007122993.tif 000002
【特許請求の範囲】
【請求項１】
屋内配線から照明機器へ電力を供給するシーリングに接続するためのシーリング接続部と、前記照明機器に接続するための照明機器接続部と、無線電波を送受信する照明機器側無線送受信部と、前記シーリングと前記照明機器を接続する電源線の電源ＯＮ／ＯＦＦを前記照明機器側無線送受信部からの信号によって制御するスイッチ部とを備えた照明機器コネクタであって、制御情報を入力する入力部と、前記制御情報を無線電波で送受信するリモコン側無線送受信部を備えるリモコンによって前記スイッチ部を制御することを特徴とする照明機器コネクタ。
【請求項２】
電力の供給を開始すると、前記リモコンに対して登録用の周波数で登録用の電文を送信して登録処理を行うことを特徴とする請求項１記載の照明機器コネクタ。
【請求項３】
請求項１または２記載の照明機器コネクタの少なくとも一部をコンピュータに実行させるためのプログラム。
【発明の詳細な説明】
【技術分野】
【０００１】
本発明は無線信号を用いて遠隔制御できる照明機器コネクタおよびそのプログラムに関するものである。
【背景技術】
【０００２】
従来、照明機器を遠隔で制御する場合には、有線では屋内配線や操作スイッチを壁に埋め込むなどの電気工事を必要とする。無線を使ったものにおいては照明機器自体に赤外線等のリモコンのインターフェースを設けたものがあるが、リモコンと照明機器が対応しており、照明機器を交換する場合にリモコンも一緒に交換する必要がある。更に違うメーカの照明機器を購入すると、リモコンが増え煩雑となる。またシーリング自体に赤外線等のリモコンのインターフェースを設けたものもある（例えば、特許文献１参照）。
【０００３】
図３は前記特許文献１に記載された従来の照明機器遠隔制御システムの概略を示すものである。図３に示すようにシーリング３０１は屋内配線１０２に接続された電源線３０５上にスイッチ部３０３を配し、赤外線受信部３０４で受信した制御信号によってスイッチ部３０３を制御する構成となっており、リモコン３０６の入力部３０８を操作することで赤外線送信部３０７からシーリング３０１の赤外線受信部３０４に制御電文を送信して照明機器１０４を遠隔制御することができる。
【特許文献１】特開平１０−１１７３８７号公報
【発明の開示】
【発明が解決しようとする課題】
【０００４】
しかしながら、上記従来の構成ではシーリングの交換のために電気工事が必要となるという課題を有していた。
【０００５】
本発明は、前記従来の課題を解決するもので、電気工事を必要とせずシーリングと照明機器の間に設置するだけで照明機器を遠隔操作可能にする照明機器コネクタを提供することを目的とする。
【課題を解決するための手段】
【０００６】
前記従来の課題を解決するために、本発明の照明機器コネクタおよびそのプログラムは、シーリング接続部と照明機器接続部を備え、電力線のスイッチを無線によって行う構成としたものである。
【０００７】
これによってシーリングと照明機器の間に設置するだけで遠隔操作可能な照明機器コネクタを提供することができる。
【発明の効果】
【０００８】
本発明の照明機器コネクタおよびそのプログラムは、電気工事を行うことなく簡単に設置でき、照明機器を遠隔操作することができる。
【発明を実施するための最良の形態】
【０００９】
第１の発明は、屋内配線から照明機器へ電力を供給するシーリングに接続するためのシーリング接続部と、前記照明機器に接続するための照明機器接続部と、無線電波を送受信する照明機器側無線送受信部と、前記シーリングと前記照明機器を接続する電源線の電源ＯＮ／ＯＦＦを前記照明機器側無線送受信部からの信号によって制御するスイッチ部とを備えた照明機器コネクタであって、制御情報を入力する入力部と、前記制御情報を無線電
波で送受信するリモコン側無線送受信部を備えるリモコンによって前記スイッチ部を制御する構成とすることで電気工事を行うことなく簡単に設置でき、照明機器を遠隔制御することができる照明機器コネクタを提供することができる。
【００１０】
第２の発明は、特に第１の発明の照明機器コネクタに電力の供給を開始すると、前記リモコンに対して登録用の周波数で登録用の電文を送信して登録処理を行う構成とすることでリモコンに簡単に照明機器コネクタを登録することができる。
【００１１】
第３の発明は、特に、第１または第２の発明の照明機器コネクタの機能の少なくとも一部をコンピュータに実行させるためのプログラムである。そして、プログラムであるので、電気・情報機器、コンピュータ、サーバ等のハードリソースを稼動させて本発明の照明機器コネクタの少なくとも一部を容易に実現することができる。また記録媒体に記録したり、通信回線を用いてプログラムを配信したりすることでプログラムの配布・更新やそのインストール作業が簡単にできる。
【００１２】
以下、本発明の実施の形態について、図面を参照しながら説明する。なお、本実施の形態によって本発明が限定されるものではない。
【００１３】
（実施の形態１）
図１は、本発明の第１の実施の形態における照明機器コネクタの概略図である。
【００１４】
図１において照明機器コネクタ１０１は、シーリング接続部１０５と、照明機器接続部１０６とを備え、シーリング１０３と照明機器１０４を構造的、電気的に接続する。照明機器コネクタ１０１内の電源線１１３上には照明機器１０４の電源をＯＮ／ＯＦＦ制御するスイッチ部１０８が設けられ、スイッチ部１０８にはリモコン１０９と制御電文をやり取りする照明機器側無線送受信部１０７が接続されている。
【００１５】
一方、リモコン１０９はユーザが操作する入力部１１１と、照明機器コネクタと制御電文をやり取りするリモコン側無線送受信部１１０とを備える。
【００１６】
以上のように構成された照明機器コネクタについて、以下その動作、作用を説明する。
【００１７】
まず、照明機器コネクタ１０１設置についてであるが、シーリング接続部１０５と照明機器接続部１０６とを設けたコネクタであることから、シーリング１０２と照明機器１０４の間に設置する。
【００１８】
次に照明機器１０４の制御について説明する。ユーザがリモコン１０９の入力部１１１を操作すると、リモコン側無線送受信部１１０から照明機器コネクタ１０１の照明機器側無線送受信部１０７に対して制御電文を送信する。照明機器側無線送受信部１０７が受信した制御電文によってスイッチ部１０８が照明機器１０４のＯＮ／ＯＦＦ制御を行う。
【００１９】
以上のように、本実施の形態においてはシーリング接続部１０５と照明機器接続部１０６を備えることで電気工事を行うことなく簡単に設置でき、また、無線電波によって照明機器１０４の電源をＯＮ／ＯＦＦ制御するスイッチ部１０８を備えることで照明機器を遠隔制御することができる照明機器コネクタを提供することができる。
【００２０】
（実施の形態２）
ここでは本発明の照明機器コネクタを使用可能にするためにリモコン１０９に登録する手段について説明する。なお、照明機器コネクタ１０１、リモコン１０９の構成は本発明の第１の実施の形態における図１と同様である。
【００２１】
図２は、本発明の第２の実施の形態における照明機器コネクタのリモコンへの登録時のフローチャートである。
【００２２】
以上のように構成された照明機器コネクタついて以下その動作、作用を説明する。
【００２３】
照明機器コネクタ１０１をリモコン１０９に登録する場合、まずステップＳ２０１においてリモコン１０９を登録モードに設定する。登録モード設定時は登録用の周波数で登録用電文を受け付けるものとする。
【００２４】
次にステップＳ２０２で照明機器コネクタ１０１をシーリング１０３に設置する。これによって照明機器コネクタ１０１に通電する。
【００２５】
次にステップＳ２０３で、照明機器コネクタ１０１の照明機器側無線送受信部１０７からリモコン１０９に対して登録用電文を登録用周波数で送信する。通常の制御用周波数と同じ周波数を利用しないのは、すでにリモコン１０９に登録されている別の照明機器コネクタからの電文と混線させないためである。
【００２６】
ステップＳ２０４で登録用電文をリモコン１０９が受信して照明機器コネクタ１０１へ応答を返すかどうかでリモコン１０９と通信可能かどうかを判断する。その結果、通信が不可能であった場合は、ステップＳ２０５で最大リトライ回数だけステップＳ２０３に戻ってリトライする。
【００２７】
ステップＳ２０４でリモコン１０９と通信可能である場合はステップＳ２０６で、照明機器コネクタ１０１にユニークに割り振られた機器ＩＤや無線ＩＤといった照明機器コネクタ１０１を制御時に識別できるような登録情報を照明機器コネクタ１０１とリモコン１０９間でやり取りする。
【００２８】
その結果ステップＳ２０７で登録が成功すると、ステップＳ２０８で照明機器コネクタ１０１もしくはリモコン１０９で登録成功を示す動作を行う。また登録が失敗するとステップＳ２０９で登録失敗を示す動作を行う。例えば照明機器コネクタ１０１側ではＬＥＤの点灯、照明機器１０４の点滅等、リモコン１０９側では文言表示、ＬＥＤ点灯、音の出力等である。
【００２９】
なお、リモコン１０９としては照明機器コネクタ１０１専用のものや、他の家電機器を無線制御できる情報端末等が考えられる。また、リモコン１０９をインターネット接続できる情報端末とすると携帯電話端末やパーソナルコンピュータから照明機器コネクタ１０１を制御できる手段も簡単に構築できる。
【００３０】
また、照明機器コネクタ１０１は登録完了後であっても停電から復帰した場合等の通電開始時に登録用電文を送信するが、リモコン側を登録モードにしない限りステップＳ２０４で登録作業はエラーとなり登録は行われない。
【００３１】
更にリモコン１０９からの制御電文を受信した時点で登録作業を終了して制御を行うことで、通電開始時にもリトライの終了を待つことなく照明機器１０４の制御を行うことができる。
【００３２】
以上のように、本実施の形態においては照明機器コネクタを通電時にリモコンに対して登録用の周波数で登録用の電文を送信する構成とすることで、リモコンに簡単に照明機器コネクタを登録することができる。
【００３３】
なお、実施の形態１または２で説明した手段は、ＣＰＵ、ＲＡＭ、ＲＯＭ、記憶・記録装置、Ｉ／Ｏなどを有する電気・情報機器、コンピュータ、サーバ等のハードリソースを協働させるプログラムの形態で実施しても良い。プログラムであれば、磁気メディアや光メディアなどの記録媒体に記録する、またインターネットなどの通信回線を用いて配信することでプログラムの配布・更新やそのインストール作業が簡単にできる。
【００３４】
なお、本実施の形態では照明機器の電源ＯＮ／ＯＦＦについて説明したが、照明機器の明るさを制御するようにしてもよい。
【産業上の利用可能性】
【００３５】
以上のように、本発明にかかる照明機器コネクタおよびそのプログラムは簡単に設置して電源をＯＮ／ＯＦＦ制御することができるので、家庭用コンセント等に応用すれば電源のＯＮ／ＯＦＦ制御のみでも使用できる家電機器を無線によって遠隔制御することができる。
【図面の簡単な説明】
【００３６】
【図１】本発明の実施の形態１における照明機器コネクタの概略図
【図２】本発明の実施の形態２における照明機器コネクタのリモコンへの登録時のフローチャート
【図３】従来の照明機器遠隔制御システムの概略図
【符号の説明】
【００３７】
１０１  照明機器コネクタ
１０２  屋内配線
１０３、３０１  シーリング
１０４  照明機器
１０５  シーリング接続部
１０６  照明機器接続部
１０７  照明機器側無線送受信部
１０８  スイッチ部
１０９  リモコン
１１０  リモコン側無線送受信部
１１１  入力部
１１２  天井
１１３  電源線
【図１】
2007122993.tif 000003
【図２】
2007122993.tif 000004
【図３】
2007122993.tif 000005